(57)【特許請求の範囲】
【請求項１】
ボルト、ボルト頭部側係合部材、及びボルト先端側係合部材から成り、ボルト頭部側係合部材は、前記ボルトの頭部の内側に隣接した状態で当該ボルトに対して相対回転自在に嵌合し、ボルト先端側係合部材は、前記ボルトが螺合貫通する貫通ネジ孔を備え、ボルト頭部側係合部材とボルト先端側係合部材とには、チエンリンクを係合させることが出来るフック部が設けられているチエン長さ調節金具において、前記ボルト頭部側係合部材及びボルト先端側係合部材は、天板部の両側辺から同一側に連設され且つ前記ボルトが貫通する貫通孔をそれぞれ有する両側板部を備えたコの字形本体を備え、前記フック部は、前記コの字形本体の天板部から一体に連設されたもので、当該天板部と面一に延出する基端部と、この基端部から折曲連設され且つ先端が、他方の前記フック部のある側に向くフック本体部とから成り、前記基端部は、前記天板部と前記フック本体部との間の巾が、当該フック本体部の先端が向く側の端に近い側ほど広くなるように形成され、前記フック本体部に外嵌させたチエンリンクを前記基端部に外嵌する位置まで移動させたとき、当該チエンリンクが、前記基端部の最も巾の狭くなった箇所で前記コの字形本体とフック本体部との間に挟まって位置決めされるように構成された、チエン長さ調節金具。
【請求項２】
前記フック部のフック本体部は、前記天板部に対して前記両側板部のある側と同一側に折曲連設されている、請求項１に記載のチエン長さ調節金具。
【発明の詳細な説明】
【技術分野】
【０００１】
本発明は、仮設作業足場などの吊り下げや、コンクリート型枠の締結などのために、建設現場において使用されるチエン長さ調節金具に関するものである。
【背景技術】
【０００２】
仮設作業足場などの吊り下げや、コンクリート型枠の締結などのために、建設現場において使用されるチエンは、吊り下げられるものを一定高さに保つため、或いは確実な締結効果を得るために、チエン長さ調節金具が必要になる。この種のチエン長さ調節金具は、特許文献１にも記載されるように、チエンの長さ方向適当間隔を隔てた位置にあるチエンリンクに係合させることの出来るフック部を備えた一対の係合部材を、ネジ機構により互いに接近移動させて、一対の係合部材のフック部が係合する２つのチエンリンク間の間隔を狭めるものであるが、特許文献１に記載される従来のチエン長さ調節金具は、前記ネジ機構のボルトが貫通する筒状体の外側に、Ｕ字形のフック板の一側辺を溶接することにより構成したものであった。
【先行技術文献】
【特許文献】
【０００３】
【特許文献１】特開２００７−２８４９３３号公報
【発明の概要】
【発明が解決しようとする課題】
【０００４】
特許文献１に記載される構成では、前記フック板のチエンコンベヤが係合する凹入部が、前記ボルトに対して大きく離れることになる。この結果、使用状態において両フック板に作用する反対向きの大きな力が、前記ボルトに曲げ力として働き、ボルトの変形が生じて再使用出来なくなる恐れがあった。
【課題を解決するための手段】
【０００５】
本発明は、上記のような従来の問題点を解消することのできるチエン長さ調節金具を提案するものであって、本発明に係るチエン長さ調節金具は、後述する実施例との関係を理解し易くするために、当該実施例の説明において使用した参照符号を括弧付きで付して示すと、ボルト(1)、ボルト頭部側係合部材(3)、及びボルト先端側係合部材(2)から成り、ボルト頭部側係合部材(3)は、前記ボルト(1)の頭部(1b)の内側に隣接した状態で当該ボルト(1)に対して相対回転自在に嵌合し、ボルト先端側係合部材(2)は、前記ボルト(1)が螺合貫通する貫通ネジ孔(10)を備え、ボルト頭部側係合部材(3)とボルト先端側係合部材(2)とには、チエンリンクを係合させることが出来るフック部(6)が設けられているチエン長さ調節金具において、
前記ボルト頭部側係合部材(3)及びボルト先端側係合部材(2)は、天板部(7)の両側辺から同一側に連設され且つ前記ボルト(1)が貫通する貫通孔(12a,12b)をそれぞれ有する両側板部(8a,8b)を備えたコの字形本体(4)を備え、前記フック部(6)は、前記コの字形本体(4)の天板部(7)から一体に連設されたもので、当該天板部(7)と面一に延出する基端部(6a)と、この基端部(6a)から折曲連設され且つ先端(6c)が、他方の前記フック部(6)のある側に向くフック本体部(6b)とから成り、前記基端部(6a)は、前記天板部(7)と前記フック本体部(6b)との間の巾が、当該フック本体部(6b)の先端(6c)が向く側の端に近い側ほど広くなるように形成され、前記フック本体部(6b)に外嵌させたチエンリンクを前記基端部(6a)に外嵌する位置まで移動させたとき、当該チエンリンクが、前記基端部(6a)の最も巾の狭くなった箇所で前記コの字形本体(4)とフック本体部(6b)との間に挟まって位置決めされる構成になっている。
【発明の効果】
【０００６】
上記本発明のチエン長さ調節金具は、例えば、仮設部材を吊り下げるチエンの長さ方向二箇所のチエンリンクをボルト頭部側係合部材のフック部とボルト先端側係合部材のフック部とに係合させ、前記ボルトを回転操作して両係合部材間の間隔を狭めることにより、両フック部が係合するチエンの二箇所間の間隔を狭めて（チエンの有効長さを縮小させて）、当該チエンを緊張させることが出来るものであるが、上記の本発明の構成によれば、次のような効果が期待出来る。即ち、チエンリンクを前記フック部に外嵌させたときは、そのチエンリンクに作用する張力で当該チエンリンクが、前記フック本体部から基端部にまで滑動して当該基端部に外嵌することになったとき、このチエンリンクが、前記基端部の最も巾の狭くなった箇所で前記コの字形本体とフック本体部との間に挟まって位置決めされることになる。従って、チエンに働く張力で前記チエンリンクがボルトから離れるように開くのを阻止され、しかも前記基端部の最も巾の狭くなった箇所は、ボルトとの間の間隔が最も狭まった箇所であるから、前記チエンリンクに甚大なチエン張力が作用しても、前記ボルトに作用する回転力は比較的小さく抑えられ、ボルトが変形して再使用出来なくなる恐れは解消する。
【０００７】
この種のチエン長さ調節金具は、チエンの長さ方向の中間部を前記フック部に引っ掛けて使用する場合がある。この場合、前記コの字形本体とフック本体部との間に引っ掛けたチエンを、チエン長さ方向にスライドさせるように操作するとき、前記コの字形本体とフック本体部との間の巾が狭いと、このコの字形本体とフック本体部との間の巾方向とチエンリンクの巾方向とが同一になるチエンリンクが、前記コの字形本体とフック本体部との間を通過しようとするときに引っ掛かって止まってしまうことが考えられる。然るに上記本発明の構成によれば、前記基端部の巾が、フック本体部の先端が向く側の端に近い側ほど広くなるように形成されているので、チエンリンクがスライドして通過しようとする前記コの字形本体とフック本体部との間の間隔を広く保つことが出来、前記コの字形本体とフック本体部との間に引っ掛けたチエンを、チエン長さ方向にスライドさせる操作も、軽く円滑に行わせることが出来る。
【０００８】
尚、本発明を実施するについて、前記フック部のフック本体部は、前記天板部に対して前記両側板部のある側と同一側に折曲連設するのが望ましい。この構成によれば、フック部を備えた前記コの字形本体のプレス加工が容易に行える。
【図面の簡単な説明】
【０００９】
【図１】図１は、本発明の一実施例に係るチエン長さ調節金具の全体を示す平面図である。
【図２】図２は、同チエン長さ調節金具の全体を示す側面図である。
【図３】図３Ａは、図１の右側面図、図３Ｂは、図１の左側面図、図３Ｃは、図１のＸ-Ｘ線断面図である。
【図４】図４Ａは、フック部にチエンリンクが嵌合係止された状態を示す要部の平面図、図４Ｂは、フック部の内側をチエンがスライドするときの様子を示す要部の側面図である。
【発明を実施するための形態】
【００１０】
図１〜図３において、１はボルト、２はボルト先端側係合部材、３はボルト頭部側係合部材である。ボルト先端側係合部材２は、コの字形本体４、角柱型ナット５、及びフック部６から構成されている。前記コの字形本体４は、厚板（金属板）の曲げ加工によって構成されたもので、天板部７と、その前後両側辺から一体に同一側へ折曲連設された互いに平行な両側板部８ａ，８ｂを備えており、フック部６は、天板部７の左右両側辺の一方から一体に連設されたものである。
【００１１】
角柱型ナット５は、その貫通ネジ孔１０の軸心方向全長が、コの字形本体４の両側板部８ａ，８ｂ間に丁度嵌合させることが出来る長さの六角ナットであって、この角柱型ナット５の互いに平行な一対の外側面５ａ，５ｂの内、一方の外側面５ａを、コの字形本体４の天板部７の内側面に隣接させるように、この角柱型ナット５をコの字形本体４の両側板部８ａ，８ｂ間に嵌合させたとき、他方の外側面５ｂの両端部外側に隣接するように、コの字形本体４の両側板部８ａ，８ｂの端部近傍内側面に突起部１１ａ，１１ｂが形成されている。これら突起部１１ａ，１１ｂは、図３にも示すように、隣接する角柱型ナット５の外側面５ｂの巾（周方向長さ）とほぼ同じ長さを有する突条形であり、両側板部８ａ，８ｂを外側から内側へ押し出すことにより形成している。
【００１２】
前記コの字形本体４の両側板部８ａ，８ｂには、上記のようにこの両側板部８ａ，８ｂ間で、天板部７と一対の突起部１１ａ，１１ｂとの間の中央位置まで、横から嵌合させた角柱型ナット５の貫通ネジ孔１０と同心状に位置する、当該貫通ネジ孔１０より少し大径の貫通孔１２ａ，１２ｂが穿設されている。
【００１３】
ボルト頭部側係合部材３は、ボルト先端側係合部材２を構成するコの字形本体４から角柱型ナット５を外したものと同一のものであって、両係合部材２，３は、そのコの字形本体４のフック部６の先端６ｃが互いに向き合うように、互いに反対向きに配置して、ボルト１により連結している。前記フック部６は、前記コの字形本体４の天板部７の一側辺から、両側板部８ａ，８ｂのある側へ一体に連設されたものであって、前記天板部７と面一に延出する基端部６ａと、この基端部６ａから折曲連設され且つ先端６ｃが、コの字形本体４の側板部８ａから遠ざかる方向に向くフック本体部６ｂから成り、前記基端部６ａは、前記天板部７と前記フック本体部６ｂとの間の巾が、当該フック本体部６ｂの先端６ｃが向く側の端に近い側ほど広くなるように形成されたものである。従って、各フック部６の基端部６ａは、フック本体部６ｂの先端６ｃが向く側、即ち、内側の端の巾ｄ１が最大巾であり、反対の外側の巾ｄ２が最小巾となっており、この最小巾ｄ２が、図４Ｂに示すチエンリンク１３の線材直径と同一か又は若干大きい。
【００１４】
ボルト１は、その螺軸部１ａを、ボルト頭部側係合部材３のコの字形本体４における外側の側板部８ａに設けられた貫通孔１２ａ、内側の側板部８ｂの貫通孔１２ｂ、ボルト先端側係合部材２のコの字形本体４における内側の側板部８ｂの貫通孔１２ｂ、角柱型ナット５の貫通ネジ孔１０、外側の側板部８ａに設けられた貫通孔１２ａを、この順番に貫通するようにして、角柱型ナット５の貫通ネジ孔１０に螺合貫通させている。ボルト先端側係合部材２のコの字形本体４から外側へ突出するボルト１の螺軸部１ａの先端には、ネジ溝をつぶすカシメやピンの打ち込みなどから成る、ボルト先端側係合部材２の抜け止めを施すことが出来る。
【００１５】
以上のように構成されたチエン長さ調節金具は、有効長さを縮めたいチエンの、適当間隔離れた位置にある２か所のチエンリンクのそれぞれに、ボルト先端側係合部材２のフック部６とボルト頭部側係合部材３のフック部６とを係合させ、ボルト頭部側係合部材３から突出しているボルト１の頭部１ｂを回転操作して、ボルト先端側係合部材２の角柱型ナット５に対してボルト１の螺軸部１ａを捻じ込み方向に回転させることにより、ボルト先端側係合部材２のフック部６とボルト頭部側係合部材３のフック部６との間の間隔を縮小させ、以て、両フック部６に係合しているチエンの２か所を互いに接近移動させて、当該チエンの有効長さを縮小させることが出来る。このとき、図４Ａに示すように、フック部６に外嵌するチエンリンク１３は、フック部６の先端６ｃからフック本体部６ｂを通過して基端部６ａに外嵌し、その結果、当該チエンリンク１３は、このチエン１４に働く張力によって、基端部６ａの最小巾ｄ２の位置でコの字形本体４とフック本体部６ｂとの間に挟み込まれ、ボルト１に最接近すると共に当該ボルト１と略平行な向きに規制される。このとき、基端部６ａの巾が内端から外端まで、例えば最大巾ｄ１であったとすると、図４Ａに仮想線で示すように、チエン１４から受ける張力によって前記ボルト１が回転力を受け、チエン１４の長さ方向に対して前記ボルト１が大きく傾斜することになる。
【００１６】
又、図４Ｂに示すように、チエン１４をフック部６に引っ掛けて張るように使用する場合、そのチエン１４は、フック部６の基端部６ａにおけるフック部先端６ｃのある内端部を通過移動することになるが、当該基端部６ａの内端部は、この基端部６ａの最大巾ｄ１の端部である。従って、コの字形本体４の両側板部８ａ，８ｂにチエンリンク１３の並列線材部が隣接する向きのチエンリンク１３Ａが、基端部６ａの最小巾ｄ２の部分に挟まれて、コの字形本体４に隣接する位置に位置決めされながらスライドすることが無く、当該チエンリンク１３Ａに続くチエンリンク１３Ｂが、フック部６のフック本体部６ｂとコの字形本体４（又はボルト１）との間を、無理なく円滑に通過することが出来る。
【００１７】
尚、各係合部材２，３の具体的構造は、上記実施例のものに限定されない。又、ボルト先端側係合部材２とボルト頭部側係合部材３とは、それぞれ専用の構造としても良いが、実施例のように、同一構造のものを利用することが出来るように構成するのが望ましい。更に、実施例とは逆に、各フック部６を、コの字形本体４の天板部７から、両側板部８ａ，８ｂのある側とは反対側へ折曲連設することも出来る。
【産業上の利用可能性】
【００１８】
本発明のチエンの長さ調節金具は、建設現場において仮設使用される各種用途のチエンの有効長さを調節するための手段として活用出来る。
【符号の説明】
【００１９】
１    ボルト
２    ボルト先端側係合部材
３    ボルト頭部側係合部材
４    コの字形本体
５    角柱型ナット
５ａ，５ｂ    角柱型ナットの互いに平行な外側面
６    フック部
６ａ    基端部
６ｂ    フック本体部
６ｃ    フック本体部の先端
７    コの字形本体の天板部
８ａ，８ｂ    コの字形本体の両側板部
１０    角柱型ナットの貫通ネジ孔
１１ａ，１１ｂ    突起部
１２ａ，１２ｂ    貫通孔
１３，１３Ａ，１３Ｂ    チエンリンク
１４    チエン
【要約】
【課題】建設現場において使用される架設用チエンの有効長さを調節するためのチエン長さ調節金具を提供する。
【解決手段】チエンリンク１３を引っ掛けるフック部６は、コの字形本体４の天板部７から一体に連設されたもので、当該天板部７と面一に延出する基端部６ａと、この基端部６ａから折曲連設され且つ先端６ｃが、他方の前記フック部６のある側に向くフック本体部６ｂとから成り、前記基端部６ａは、天板部７とフック本体部６ｂとの間の巾が、当該フック本体部６ｂの先端６ｃが向く側の端に近い側ほど広くなるように形成され、フック本体部６ｂに外嵌させたチエンリンク１３を基端部６ａに外嵌する位置まで移動させたとき、当該チエンリンク１３が、基端部６ａの最も巾の狭くなった箇所で、コの字形本体４とフック本体部６ｂとの間に挟まって位置決めされる構成。
【選択図】図４【図１】
0005856347.tif 000002
【図２】
0005856347.tif 000003
【図３】
0005856347.tif 000004
【図４】
0005856347.tif 000005